(57)【特許請求の範囲】
【請求項１】
ロータリスイッチと、
前記ロータリスイッチの設定位置を識別表示するロータリスイッチ表示手段と、
前記ロータリスイッチの設定位置を読み込むコード読込み手段と、
前記コード読込み手段が読込んだ設定位置が入力され、この設定位置を前記ロータリスイッチ表示手段に対応したパターンコードに変換するコード処理手段と、
前記コード処理手段が変換したパターンコードが渡され、前記コード読込み手段で読み込んだ設定位置に対応した前記ロータリスイッチ表示手段を点灯させるコード書込み手段と、
を有し、
前記ロータリスイッチ表示手段は、２進数配列された点灯数字の合計値をロータリスイッチの設定位置とするとともに、他目的の表示手段と兼用していて、切り替えることによりそれぞれの状態を表示することを特徴とするロータリスイッチ設定表示装置。
【請求項２】
前記ロータリスイッチ表示手段は、ＬＥＤを用いたことを特徴とする請求項１に記載のロータリスイッチ設定表示装置。
【発明の詳細な説明】
【技術分野】
【０００１】
本発明は、機器の各種設定、モード切り替え等に使用するロータリスイッチの設定表示装置に関するものである。
【背景技術】
【０００２】
機器の動作モードの設定等を外部からスイッチで行えるようにする場合、小型で省スペースなロータリスイッチが用いられている。
【０００３】
図５は、従来のロータリスイッチの使用例を示す図である。
プログラマブル・ロジック・コントローラ（ＰＬＣ）１の正面にロータリスイッチ１０が設けられており、ロータリスイッチ１０の設定位置を変えることにより、ＰＬＣ１の各種設定及びモード設定を行えるようにしている。
【０００４】
設定表示の視認性を改善し、操作性を向上する動作モード表示機構を示したものとして、例えば特許文献１に記載されたものがあった。
【０００５】
【特許文献１】実開平５−８１７２６号公報
【発明の開示】
【発明が解決しようとする課題】
【０００６】
図５の従来例では、次のような問題点があった。
小型で、１６ポジションのロータリスイッチは、ポジション間のピッチが狭く、スイッチ自身に印字されている文字も小さいので、ユーザが設定位置の確認が困難で、誤設定を招き易いという問題点があった。
【０００７】
本発明は上述した問題点を解決するためになされたものであり、ロータリスイッチの設定値の視認性を向上し、誤設定を防止するロータリスイッチ設定表示装置を実現することを目的とする。
【課題を解決するための手段】
【０００８】
このような課題を達成するために、本発明は次のとおりの構成になっている。
（１）  ロータリスイッチと、
前記ロータリスイッチの設定位置を識別表示するロータリスイッチ表示手段と、
前記ロータリスイッチの設定位置を読み込むコード読込み手段と、
前記コード読込み手段が読込んだ設定位置が入力され、この設定位置を前記ロータリスイッチ表示手段に対応したパターンコードに変換するコード処理手段と、
前記コード処理手段が変換したパターンコードが渡され、前記コード読込み手段で読み込んだ設定位置に対応した前記ロータリスイッチ表示手段を点灯させるコード書込み手段と、
を有し、
前記ロータリスイッチ表示手段は、２進数配列された点灯数字の合計値をロータリスイッチの設定位置とするとともに、他目的の表示手段と兼用していて、切り替えることによりそれぞれの状態を表示することを特徴とするロータリスイッチ設定表示装置。
【００１２】
（２）  前記ロータリスイッチ表示手段は、ＬＥＤを用いたことを特徴とする請求項１に記載のロータリスイッチ設定表示装置。
【発明の効果】
【００１３】
本発明によれば次のような効果がある。
ロータリスイッチの設定位置に対応してＬＥＤ表示されるので、ユーザがロータリスイッチを設定する際の視認性が向上し、誤設定を防止することができる。
【発明を実施するための最良の形態】
【００１４】
以下、図面を用いて本発明を詳細に説明する。
図１は本発明の一実施例を示す構成図である。前出の図と同一のものは同一符号を付ける。
ロータリスイッチ１０として、１６ポジションのロータリスイッチの場合について説明する。
ロータリスイッチ１０の設定位置はコード読込み手段２１により読み込まれる。このコード読込み手段２１で読み込まれたコード（設定位置）はコード処理手段２２を経て、コード書込み手段２３によりロータリスイッチ表示手段３０を点灯させる。この際、コード処理手段２２は、コード読込み手段２１で読み込んだコードをロータリスイッチ表示手段３０に対応したパターンデータに変換してコード書込み手段２３に渡す。
【００１５】
図２は本発明の機器への使用例を示す図である。
ＰＬＣ１の正面にロータリスイッチ１０が設けられており、ロータリスイッチ１０の設定位置を変えることにより、ＰＬＣ１の各種設定及びモード設定を行えるようにしている。
ロータリスイッチ表示手段３０は、上から８，４，２，１と数字が点灯するように遮光フィルムを用い、ＬＥＤを点灯させる。ロータリスイッチ１０の設定位置に対応して、ロータリスイッチ表示手段３０が点灯する。これにより、ユーザは自分が設定している位置を視覚的に確認することができるので、誤設定を防止することができる。
【００１６】
図３は本発明のロータリスイッチ設定位置の表示パターン例を示す図である。図中の四角で囲った数字部分のＬＥＤが点灯していることを示している。
図３（ａ）は、設定位置Ｆの点灯パターンで、８，４，２，１のＬＥＤが点灯し、図３（ｂ）は設定位置Ａの点灯パターンで、８，２のＬＥＤが点灯し、図３（ｃ）は設定位置３の点灯パターンで、２，１のＬＥＤが点灯している状態である。
ロータリスイッチ表示手段３０のＬＥＤ点灯パターンは、８，４，２，１の点灯しているＬＥＤの数値の合計値が０からＦまでのロータリスイッチ１０の設定位置の１０進数換算値と一致するようにしている。
【００１７】
ＬＥＤの物理的配置を８，４，２，１と並べることにより２進数配列となり、点灯パターンとして２進数で読み取り１６進数換算することでロータリスイッチ１０の設定位置と合うことになる。
ユーザは何度かＬＥＤを見ながらロータリスイッチ１０を１周させれば、ロータリスイッチ表示手段３０の点灯パターンの状態遷移により、ロータリスイッチ１０の位置を視覚的に点灯パターンで捉えることができ、使用回数が増えるにつれ点灯数値の合計という計算の手順が必要なくなる。
また、ＬＥＤ４つで効果的に状態表示をするので、７セグメントＬＥＤ、１からＦまでの別個に点灯する１６個のＬＥＤ、液晶表示等の表示方法に比べ、部品コストが低く、消費電力も小さくすることができる。
【００１８】
図４は本発明のロータリスイッチ設定位置の他の表示パターン例を示す図である。
図４（ａ）は、設定位置Ｆの点灯パターンで、１６のＬＥＤが点灯し、図４（ｂ）は設定位置Ａの点灯パターンで、１０のＬＥＤが点灯し、図４（ｃ）は設定位置３の点灯パターンで、３のＬＥＤが点灯している状態である。
ＰＬＣ１が入出力モジュールである場合、入出力接点のＯＮ／ＯＦＦ状態を示す入出力状態表示用のＬＥＤを有しているので、このＬＥＤをロータリスイッチ表示用としても兼用し、ロータリスイッチによる設定の際と入出力状態を表示する際で切り替えて使用することにより、ロータリスイッチ表示用としてわざわざＬＥＤを用意する必要がなくなるので設置スペースの問題もなくなり、また、部品コストも削減することできる。
【図面の簡単な説明】
【００１９】
【図１】本発明の一実施例を示す構成図である。
【図２】本発明の機器への使用例を示す図である。
【図３】本発明のロータリスイッチ設定位置の表示パターン例を示す図である。
【図４】本発明のロータリスイッチ設定位置の他の表示パターン例を示す図である。
【図５】従来のロータリスイッチの使用例を示す図である。
【符号の説明】
【００２０】
１０  ロータリスイッチ
２１  コード読込み手段
２３  コード書込み手段
３０  ロータリスイッチ表示手段
【図１】
0004721046.tif 000002
【図２】
0004721046.tif 000003
【図３】
0004721046.tif 000004
【図４】
0004721046.tif 000005
【図５】
0004721046.tif 000006